(57)【要約】  離間されたパイプ末端部（１１）の間の連結を提供すべく使用されるパイプ・インサート（１０）であり、該パイプ・インサートが、少なくとも２つの末端部を有し、該パイプ・インサートが、それら末端部間の相対的変位を変更できるように調整自在であり、それら末端部の各々が、その末端部と各パイプ末端部との間の封止相互連結を提供することができる連結手段（１２）を有する。少なくとも２つのパイプ末端部を連結する方法も請求されている。【選択図】図２
2007527979.tif 000002
【特許請求の範囲】
【請求項１】
離間されたパイプ末端部の間の連結を提供すべく使用されるパイプ・インサートであって、当該インサートが少なくとも２つの末端部を有し、前記パイプ・インサートがそれら末端間の相対的変位を変動することができるように調整可能であり、各末端部が当該末端と各パイプ末端部との間の封止相互連結を提供すべく適合している連結手段を有することから成るパイプ・インサート。
【請求項２】
前記パイプ・インサートが前記パイプ末端部間の流れに適合できる、請求項１に記載のパイプ・インサート。
【請求項３】
前記パイプ・インサートが前記末端部間に流れ導管を構成する、請求項２に記載のパイプ・インサート。
【請求項４】
前記流れ導管が、前記パイプ・インサートの一体的な部分を含む、請求項３に記載のパイプ・インサート。
【請求項５】
前記流れ導管がフレキシブル或は拡張可能な特性である、請求項３に記載のパイプ・インサート。
【請求項６】
前記パイプ・インサートが流れ制御及び／或は検知要素の選択の内の少なくとも１つを受け入れることができる、請求項２乃至５の内の何れか一項に記載のパイプ・インサート。
【請求項７】
前記パイプ・インサートが流れ制御及び／或は検知要素を組み入れている、請求項２乃至５の内の何れか一項に記載のパイプ・インサート。
【請求項８】
前記パイプ・インサートが前記パイプ末端部間の流れに適合できない、請求項１に記載のパイプ・インサート。
【請求項９】
前記パイプ・インサートが相互に対して変位可能である複数の相互係合された区分を含んで、前記インサートの末端部間の相対的変位を変動させる、請求項１乃至８の内の何れか一項に記載のパイプ・インサート。
【請求項１０】
前記区分が前記フランジ間の流体流れに適合し、且つ、封止的に相互連結される、請求項２に従属された請求項９に記載のパイプ・インサート。
【請求項１１】
前記区分が入れ子式に相互連結される、請求項９或は１０に記載のパイプ・インサート。
【請求項１２】
前記区分がねじ込み可能に相互係合され、それによって相対的変位が前記区分間のねじ込み可能な相互連結の相対的長手方向位置を変動することによって変動させられる、請求項９或は１０に記載のパイプ・インサート。
【請求項１３】
前記連結手段が異なるサイズのパイプ末端部と連結できる複数の連結手段から選択される、請求項１乃至１２の内の何れか一項に記載のパイプ・インサート。
【請求項１４】
前記インサートの末端部が共通軸線に沿って変位可能である、請求項１乃至１３の内の何れか一項に記載のパイプ・インサート。
【請求項１５】
前記インサートの末端部が、相互に角度的に変位させられる少なくとも２つの軸線に沿って変位可能である、請求項１乃至１３の内の何れか一項に記載のパイプ・インサート。
【請求項１６】
相互に略直交する２つの軸線に沿って変位可能である、請求項１５に記載のパイプ・インサート。
【請求項１７】
前記インサートの末端部が相互に離間されている少なくとも２つの軸線に沿って変位可能である、請求項１乃至１３の内の何れか一項に記載のパイプ・インサート。
【請求項１８】
添付図面を参照して実質的にここで記載されたようなパイプ・インサート。
【請求項１９】
少なくとも２つの離間されたパイプ末端部を連結する方法であって、
先行する請求項の内の何れか一項で請求された形態のインサートを提供する段階と、
前記パイプ末端部の間の間隔に従って、前記インサートの末端部間で相対的変位を生じさせるように前記インサートを調整する段階と、
前記インサートを前記パイプ末端部間の空間に挿入する段階と、
前記インサートを前記パイプ末端部と前記連結手段で連結する段階と、
の諸段階を含む方法。
【請求項２０】
実質的にここで記載されたような少なくとも２つの離間されたパイプ末端部を連結する方法。
【発明の詳細な説明】
【技術分野】
【０００１】
本発明はパイプ・インサートに関し、そしてそうしたパイプ・インサートを用いて少なくとも２つのパイプ末端部を連結する方法にも関する。
【背景技術】
【０００２】
プロセス配管据え付けは、石油ガス、石油化学、並びに、鉱業を含む数多くの業界に共通している。
【０００３】
そうした据え付けに関する最も主要なプロジェクトと関連された要件は、事前試運転に先行して、配管が静水力学的及び／或は空気圧的に試験されて、設計及び動作パラメータとの適合を保証することである。そうした試験は亜音速送風を含み得るクリーニング位相が後に続く。その据え付けが試運転されるまで、据え付けの組立、組み立てられた据え付けのクリーニング、そして、試運転に先行する据え付けの試験の最中に経験される厳しさに、バルブ及び同様要素等の制御要素を暴露することは望ましくない。
【発明の開示】
【発明が解決しようとする課題】
【０００４】
この理由のため、構成、試験、並びに、クリーニングの経過にわたって３回も据え付けされて除去されることは、そうした制御要素にとって珍しいことではない。一般的にこれは、各制御要素を置き換える専用一時的パイプ・インサートの構成を含む。数十或は数百の制御要素を組み入れている据え付けにおいて、こうした履行は扱いにくく且つ無駄が多い、その理由としては殆どの場合、新しいパイプ・インサートが各制御要素用に毎回作り出され、据え付けが試験され得る場合、各一時的インサートは、代替が意図されている制御要素と同一の規格で作製されなければならない。この点における関連短所は、パイプ・システムの機械的一体性との妥協である３重ハンドリング及び据え付けを含むと共に、一時的インサートに非破壊試験を受けさせて、試験及びクリーニングの最中、それらの使用に対する適応度を保証する必要性とを含む。この結果、不必要な出費、時間的遅延、安全性リスクとなる。加えて、制御要素が据え付けられから除去される度に、それら制御要素に対する損傷が増大される可能性がある。
【０００５】
この明細書を通じて、特に前後文脈が要求していなければ、用語「"ｃｏｍｐｒｉｓｅ"（備える或は含む）」、若しくは、「"ｃｏｍｐｒｉｓｅｓ"」或は「"ｃｏｍｐｒｉｓｉｎｇ"」等の変形は、規定された整数或は整数群の包含を暗示すると理解されるが、他の任意の整数或は整数群の排除を暗示しないと理解される。
【課題を解決するための手段】
【０００６】
本発明の一局面に従えば、離間されたパイプ末端部の間の連結を提供すべく使用されるパイプ・インサートが提供され、そうしたインサートは少なくとも２つの末端部を有し、該パイプ・インサートはそれら末端間の相対的変位を変動できるように調整可能であり、それら末端部の各々は、その末端部と各パイプ末端部との間の封止相互連結を提供することに適合する連結手段を有する。
【０００７】
本発明の好適な特徴に従えば、パイプ・インサートはパイプ末端部の間の流れに適合することができる。本発明の好適な特徴に従えば、パイプ・インサートはそれら末端部間の流れ導管を構成する。本発明の好適な特徴に従えば、その流れ導管はパイプ・インサートの一体的な部分を含む。本発明の好適な特徴に従えば、その流れ導管はフレキシブル或は拡張自在な特性を有する。本発明の好適な特徴に従えば、そのパイプ・インサートは流れ制御及び／或は検知要素の選択の内の少なくとも１つを受け取ることに適合している。本発明の好適な特徴に従えば、そのパイプ・インサートは流れ制御及び／或は検知要素を組み入れている。
【０００８】
本発明の代替的な好適な特徴に従えば、パイプ・インサートはパイプ末端部間の流れに適合することができない。
【０００９】
本発明の好適な特徴に従えば、パイプ・インサートは相互に対して変位可能である複数の相互係合された区分を備え、インサートの末端部間の相対的な変位を変動させでおり、それら区分は封止的に相互連結されている。本発明の好適な特徴に従えば、それら区分は入れ子式に相互連結されている。本発明の代替的な好適な特徴に従えば、それら区分はねじ込み式に相互係合され、相対的変位が区分間のねじ込み可能な相互連結の相対的長手方向位置を変動することによって変動される。
【００１０】
本発明の好適な特徴に従えば、連結手段は異なるサイズのパイプ末端部と連結できる複数の連結手段から選択可能である。
【００１１】
本発明の好適な特徴に従えば、インサートの末端部が長手方向軸線に沿って変位可能である。
【００１２】
本発明の好適な特徴に従えば、インサートの末端部が相互から角度的に変位される少なくとも２つの長手方向軸線に沿って変位可能である。一実施例に従えば、インサートの末端部が相互に対して略直交する２つの長手方向軸線に沿って変位可能である。
【００１３】
本発明の別の局面に従えば、少なくとも２つの離間されたパイプ末端部を連結する方法が提供され、その方法が、
先に記載されたインサートを提供する段階と、
前記パイプ末端部の離間距離に従って前記インサートの末端部間の相対的変位を為すように前記インサートを調整する段階と、
前記連結手段で前記インサートを前記パイプ末端部に連結する段階と、
の諸段階を含む方法。
【００１４】
本発明は特定実施例の以下の記載を参照してより完全に理解されるであろう。
その記載は以下の添付図面を参照して為されている。
【発明を実施するための最良の形態】
【００１５】
各種実施例の各々は、少なくとも２つの離間されたパイプ末端部の間に連結を提供すべく使用され、且つ、それらパイプ末端部間の離間距離に適合する少なくとも１つの軸線に沿って調整可能であるパイプ・インサートに向けられている。こうした実施例の各々のパイプ・インサートの目的は、パイプ末端部が関連される据え付けが作業中、クリーニング中、試験中、メンテナンス或はその類の最中にある一方であって、そして、活動性に関連された状態に支配させられる流れ制御及び／或は検知要素にとって不適切である際、パイプ末端部の間に配置される流れ制御及び／或は検知要素を置き換えることである。意図されていることは、パイプ・インサートがパイプ末端部間において、或は、パイプ末端部間から流れ制御及び／或は検知要素を除去する必要がある度にパイプ末端部の異なる集合の間において、反復的に使用され得ることである。
【００１６】
第１実施例に従ったパイプ・インサート１０が、図１及び図２に描写されており、パイプ対の離間された末端１１の間の連結を提供している。このインサート１０は、管状形態であって、パイプ末端部１１における対応するパイプ・フランジ１３と固定されることができるフランジ形態１２の連結手段で各末端部に設けられて、パイプ間の封止連結を提供している。フランジ１２は、パイプのパイプ・フランジ１３と締結的且つ封止的に係合され得るような形態を取っている。フランジ１２間のパイプ・インサートの部分は管状であって、パイプ末端部間の流体流れを許容すると共に、追って記載されるように、パイプ末端部間に最終的には配置されることなる制御要素を複製できるか、或は、その制御要素と類似の機能を提供できる流れ制御及び／或は検知要素を含むことができる。
【００１７】
フランジ１２間のインサート１０の部分は、中央区分１６と該中央区分１６の何れか一方で外側区分１８の対とを含む複数の相互係合区分を備える。区分１６及び１８は末端合わせ関係でねじ込み式に相互連結され、それによって、それら区分間のねじ込み式相互連結の相対的長手方向位置を変動することによってインサート１０の長さが変動され得る。
【００１８】
中央区分１６はその末端部において向かい合うような雌ねじ２０が設けられる一方で、外側区分１８はそれら内側末端部においてそれら雌ねじ２０と相互連結される対応する雄ねじ２２が設けられて、中央区分１６及び外側区分１８の間のねじ込み式相互連結を為している。各外側区分１８の外側面の非ねじ切り部は内側末端部に対して僅かに低減された径であって、その非ねじ切り外側部を中央区分１６のボア内に受け入れられるように為す。
【００１９】
中央区分１６とそれ故のパイプ・インサートの長さに対する各外側区分１８の位置は、その外側区分を時計方向或は反時計方向にねじ込むことによって調整される。外側区分１８は、図１及び図２に示されるように、中央区分１６に対して異なる量だけ調整可能に変位させることができる。
【００２０】
中央区分の両末端部は、各々、環状ロッキング・キャップ２８が設けられている。これら環状ロッキング・キャップ２８は、中央区分１６及び外側区分１８の間の相互連結を封止する補助を為している。各ロッキング・キャップ２８は、中央区分の各末端部における外側面上に設けられた外側ねじ３２とねじ込み式に受け入れられる内側ねじを有する。インサート１０の長さの調整後、ロッキング・キャップ２８は、外側区分１８そしてそれ故の中央区分１６の末端部と固定された外側区分１８に沿って摺動させられて、中央区分１６の各末端面２７を係合している。ロッキング・キャップ２８及び中央区分１６の周囲を巡って設けられた切り欠き３６の集合は、中央区分１６及びロッキング・キャップ２８の間に適切な締め付けトルクを付与すべく適切なツールを使用させることができる。封止部２６が、各ロッキング・キャップ２８のフランジと、中央区分の各末端面と、各末端区分の外側面との間に取り込まれている。それら封止部は外側区分１８の周りに受け入れられて、ロッキング・キャップ２８及び内側末端面２７の間に画成された凹部２４内に収容される。封止部２６はそれら凹部２４内に適切に圧縮されるように寸法付けられて、中央区分１６とロッキング・キャップ上の外側区分１８との間に封止が為されて必要に応じて締め付けられる。
【００２１】
外側区分１８の内側面には向かい合うような雌ねじ４１が設けられて、以下に記載されるように他の実施例に従って、それらが更なる外側区分をその中に受け入れることができるように為している。加えて、外側区分１８には、それらの外側末端部において、雄ねじ３８が設けられて、それらがフランジ１２と係合されることを可能とし、次いでそれらフランジ１２にはねじ３８と相互連結するように対応するねじ３９を有するボア４０が設けられて、フランジ１２が外側区分１８上にねじ込まれ、そしてそれ故に取り付けられ得る。フランジ１２の除去特性が意味することは、インサート１０が、パイプ・インサートが使用させられるパイプ・フランジの特性に従って、変動する径、タイプ、並びに、評価のパイプ・フランジと一緒に使用させられる汎用性を有することである。
【００２２】
封止部４６は、外側区分１８の最も外側の末端面４２とフランジ１２との間に画成された凹部４４内に受け入れられる。これら封止部４６は、外側区分１８及びフランジ１２の間の封止を達成すべく凹部４４内に適切に圧縮されるように寸法付けられている。
【００２３】
中央区分１６の壁は、対向された径方向ボア５０及び５２の対と一緒に形成され、各ボアは制御及び／或は検知要素を含み得る選択要素の内の１つを封止的に受け取ることができる。これら要素は、持ち上げアイ、ボール弁レバー・アセンブリ、圧力ゲージ、並びに、注入／流出点を含み得る。一要素が嵌合される必要性がない場合、１つ或はそれ以上の径方向ボアの１つ或は各々は、図１に示されるようにねじ付きプラグ５１で封止され得る。
【００２４】
図２で示されると共に例証としてのみ示されるように、第１実施例に嵌合された選択された制御要素は、一方のボア５０内に受け入れられた持ち上げアイ５４と、他方のボア５２内に受け入れられたボール弁レバー・アセンブリ５６とを含み得る。ボール弁レバー・アセンブリはボール弁５８と関連されて、該ボール弁はインサート１０内に受け入れられ得る。ボール弁５８は、ボール弁レバー・アセンブリ５６と、央区分の何れかの末端部を介して受け入れられるボール部材６０とを含み、それら間にボール部材６０を受け入れるべく２つのボール部材保持カバー６２を含む。それら保持カバー６２には、中央区分１６の雌ねじ２０と係合可能である雄ねじ６４が設けられている。保持カバー６２の内側末端部は、中央区分１６の中間付近且つそれと一体的に形成された環状面６８と当接して受け入れられている。凹部７０が保持カバー６２のそれら内側末端部に設けられ、それら凹部７０は面６８と係合する封止部７２を受け入れている。保持カバー６２は、それらの内側及び外側の末端部間に、テーパー状の環状軽減部７８を有して、外側区分１８の内側末端部に設けられた対応してテーパー状となった部分８０を収容し、それによって、ボール弁５８が利用されている際に中央区分１６内において外側区分１８の最大後退を可能として、インサート１０の長さ調整の範囲を増大する。
【００２５】
本発明の更なる実施例の以下の記載において、同様構成要素は同一参照番号で指定されている。
【００２６】
第２実施例に従ったパイプ・インサート１０は、図３に示されるように、第１実施例の変形に基づき、そして、中央区分１６の各側部に外側区分１８を有するに加えて、各末端部においてねじ込み式の相互係合されて入れ子式相互連結された更なる外側区分１８'及び１８"を含む。これはパイプ・インサート１０が、パイプ末端部がそれらの分離度におけるより大きな変動を有する様々なそれらパイプ末端部の連結に使用させることを可能としており、その理由は、更なる外側区分１８'及び１８"が、第１実施例のパイプ・インサートと比較した場合、長さ調整のより大きな範囲を第２実施例のパイプ・インサート１０にもたらすからである。
【００２７】
中央区分１６及び外側区分１８は第１実施例の場合に使用されたものと同一の片々であり、付加的な片々は適切に構成されて、インサート１０が完全に後退された外側区分１８，１８'，１８"で、ボール弁５８を収容できる（図３での破線で示されるように）。
【００２８】
更なる外側区分１８'には、それら内側末端において、外側区分１８に設けられた雌ねじ４１と係合する雄ねじ２２'が設けられている。更なる外側区分１８'各々の外側面の残り部分は内側末端部に対して低減された径であって、それら更なる外側区分１８'が外側区分１８内に受け入れられるようにしている。
【００２９】
更なる外側区分１８'には、向かい合う雌ねじ４１'が設けられ、それら雌ねじが更なる外側区分１８"の内側末端部に設けられた対応する雄ねじ２２"と係合する。更なる外側区分１８"各々の外側面における残り部分も内側末端部に対して低減された径となって、更なる外側区分１８"が更なる外側区分１８'内に受け入れられるようにしている。
【００３０】
フランジ１２は更なる外側区分１８"の外側末端部に取り付けられ、それら外側末端部が第１実施例と関連されて記載されたように構成されて、フランジ１２との封止連結をもたらしている。
【００３１】
環状ロッキング・キャップ２８，２８'，２８"はそれらの間の関連封止構成と共に、各区分の間に連結部に設けられて、ロッキング・キャップ及び封止構成は第１実施例と関連されて記載されたタイプのものである。
【００３２】
例証としてのみ、第２実施例に対する選択された制御要素は、ボア５０に受け入れられた圧力ゲート８０と、ボア５２内に受け入れられた注入／流出点８２とを含む。再び、制御要素が嵌合される必要性がなければ、径方向ボアの１つ或は各々が、図１に示されるように、第１実施例と関連されて、ねじ切りプラグで封止され得る。
【００３３】
図４に示される第３実施例に従ったパイプ・インサート１０も、中央区分１６が９０°の肘片を含むことを除いて、第１実施例の変形である。よってこのインサートは、２つの非平行軸線に沿って調整可能であり且つ直交するように配列された２つの離間パイプ末端部１１の間の連結を提供できる。
【００３４】
第３実施例の場合の径方向ボア５０及び５２は反対方向というよりか、９０°で配列されている。
【００３５】
例証としてのみ、第３実施例の選択制御要素は、ボア５０内に受け入れられた圧力ゲージ８０と、ボア５２内に受け入れられた持ち上げアイ５４とを含む。再び、制御要素が嵌合される必要性がなければ、径方向のボアの１つ或は各々は既に記載されたねじ切りプラグで封止され得る。
【００３６】
図５及び図６に示される本発明の第４実施例は、管状区分１０１及び１０２の対を含み、それらは入れ子式に連結されている。各区分の自由末端は、先行する実施例の場合のように適切なねじ込み式の相互連結を介してフランジ１１２を支持する。より大きな径の区分１０１の内側末端１０３は、環状封止カバー１０４と関連され、該カバーは内側末端部１０３とねじ込み式に係合されて、区分１０１の末端面と、封止カバーと、封止カバーの内側径方向面と他の区分１０２の外側面との間の第２封止部１０６との間に第１封止部１０５を保持する。他の区分１０２の内側末端部は外側方向に向けられたフランジ１０７で形成され、該フランジは封止カバーの内側径より大きな外側径を有して、区分間の保持を可能として、第３封止部１０８はフランジの外側径方向面によって支持されて、より大きな区分１０２の内側ボアとの係合を封止する。連結区分１０１及び１０２の入れ子式特性のために、パイプ・インサートの長さは必要に応じて変動され得る。
【００３７】
更なる実施例が存在し、そこでは、各側部に設けられた多数の外側区分が第１及び第２実施例と関連したものと異なっている。更には理解して頂けるように、中央区分の一側に設けられた多数の外側区分が他方の側部に設けられた多数のものとは異なり得る。
【００３８】
他の実施例が存在し、そこでは、中央区分の一方側部に対する外側区分（単数或は複数）と中央区分の他方側部に対する外側区分（単数或は複数）の間に横方向のオフセットがあって、パイプ末端部が同軸状整列から外れている状況に適合している。
【００３９】
加えて、例えば、２ピース或は４方向ピースとして形成される、幾つかの或は全ての長手方向軸線において調整可能であるインサート等のパイプ末端部の２つ以上を連結することができ、パイプ末端部の間隔に従ってコネクタの位置を変動させる。
【００４０】
図７で概略的に示されるような更なる実施例は、パイプ・インサートがパイプ末端部間の然るべき位置にある期間中、それらパイプ末端部間の流体連通をパイプ・インサートが提供する必要がない状況を含む。その結果として、フランジ２１２間の部分２１０は拡張可能である構造的完全性であり、関連活動中にそれ自体に付勢される力に耐えるべく充分な構造的完全性を有する部材を含む。
【００４１】
図８に概略的に示されたような更なる実施例は、パイプ・インサートがパイプ末端部間の然るべき位置にある期間中、それらパイプ末端部間の充分な流体連通をフランジ間のパイプ・インサートの部分３１０が提供しない状況を含む。その結果として、フランジ３１２間の部分３１０は拡張可能であり、関連活動中にそれ自体に付勢される力に耐えるべく充分な構造的完全性を有する部材を含む。必要とされた流体流量に適合すべく、フレキシブルな流れライン３０８はフランジ３１２間に延在して、パイプ末端部間に必要とされた流量をもたらし、適切な流れ制御及び／検知要素がこのフレキシブルな流れラインと関連されている。
【００４２】
インサート１０の組立、調整、並びに、据え付けの方法は、第１、第２、並びに、第３の実施例と関連して以下に記載される。理解して頂けるように、組み立てられるべく様々な構成要素と関連された封止部は組立中に既に然るべき位置に配置されている。
【００４３】
インサート１０の組立、調整、並びに、据え付けに先行して、フランジ１３が、もし既に存在しなければ、溶接されるか、或は、固定されて、パイプ末端部１１上に配置される。次いで、フランジ１３間の分離の正確な測定が為される。
【００４４】
次いで、インサート１０を組み立てることとなる適切な数の区分の決定が為され、そうした決定はパイプ末端部１１のサイズ及び間隔に基づく。次いでインサート１０の組立が開始される。
【００４５】
インサート１０の組立における第１段階は、一般に、ボア５０，５２に対する適切な要素の嵌合及び／或は閉塞である。もしボール弁５８が必要とされたならば、ボール部材６０が中央区分１６に挿入され、次いで保持カバー６２がその中央区分１６の何れか側の内部にねじ込まれて、ボール部材６０をその間に保持させる。次いでボール弁レバー・アセンブリ５６が適切なボア５０或は５２内にねじ込まれる。持ち上げアイ５４は、しばしば、一方のボアに嵌合されて、インサート１０の引き続く据え付けを促進する。次いで外側区分１６は中央区分１６内にねじ込ませてから、ロッキング・キャップ２８がそれら外側区分１８上を摺動させられる。もし更なる外側区分１８'が必要とされれば、それらは外側区分１８の外側末端部内にねじ込ませる。次いで、ロッキング・キャップ２８'が更なる外側区分１８'上に摺動させられる。もし付加的な更なる外側区分１８"が必要とされれば、それは更なる外側区分１８'の外側末端部内にねじ込ませる。次いで、ロッキング・キャップ２８"がその付加的な更なる外側区分１８"上に摺動させられる。次いで、フランジ１２であり、それらがフランジが連結されることになるフランジ１３の寸法に従って選択されたフランジ１２が、最も外側の区分１８、１８'、或は、１８"の外側末端部上にねじ込ませる。
【００４６】
相互連結された区分が、フランジ１３の間隔に従って全長が調整されて、ガスケット等を可能とするまで、相互に対してねじ込ませる。インサート１０の長さの正しい調整後、ロッキング・キャップは相互連結された区分をロックすべく然るべき位置にねじ込ませ、それらの間に封止部を完成する。適切な締め付けトルクが、先に記載されたように、切り欠き３６と係合された引っ掛けスパナによって提供される。
【００４７】
次いでインサート１０が据え付けられる。これを達成すべく、もし嵌合されていれば、持ち上げアイ５４が利用されてインサート１０を然るべき位置に持ち上げる。次いで、フランジ１２が据え付けを完成すべく従来方式でフランジ１３と連結される。
【００４８】
インサート１０は、最終的にはその位置で据え付けられることになる制御要素の長手方向寸法に従って、少なくとも１つの長手方向軸線方向に調整される。次いでインサート１０は、配管システムの全ての制御要素箇所において、構成位相中、嵌合され得る。適切な離間と配管整列を可能とする。次いで、試験及びクリーニングがインサート１０を除去する必要性無しに実行され得る。
【００４９】
更には、インサート１０の機械的完全性は据え付けに先行して承認され、それによってこの分野でのインサート１０の試験の必要性を低減している。
【００５０】
理解して頂きたいことは、本発明の範囲が先に記載された実施例の特定範囲に限定される必要性がないことである。
【図面の簡単な説明】
【００５１】
【図１】図１は、本発明の第１実施例に従ったパイプ・インサートの側面図である。
【図２】図２は、持ち上げアイ及びボール弁が嵌合された、図１に示される本発明の第１実施例に従ったパイプ・インサートの立断面図である。
【図３】図３は、圧力ゲージ及び注入／排出点が嵌合された、本発明の第２実施例に従ったパイプ・インサートの立断面図である。
【図４】図４は、圧力ゲージ及び持ち上げアイが嵌合された、本発明の第３実施例に従ったパイプ・インサートの立断面図である。
【図５】図５は、後退状態にある第４実施例に従ったインサートの立断面図である。
【図６】図６は、拡張状態にある第４実施例に従ったインサートの立断面図である。
【図７】図７は、本発明の更なる実施例に従ったインサートの概略立断面図である。
【図８】図８は、本発明の更なる実施例に従ったインサートの概略立断面図である。
【符号の説明】
【００５２】
１０    パイプ・インサート
１１    パイプ末端部
１２    連結手段
１６    中央区分
１８    外側区分
１２，１３    パイプ・フランジ
２０，４１，４１'    雌ねじ
２２，３８，６４，２２'，２２"    雄ねじ
２８    ロッキング・キャップ
３６    切り欠き
【図１】
2007527979.tif 000003
【図２】
2007527979.tif 000004
【図３】
2007527979.tif 000005
【図４】
2007527979.tif 000006
【図５】
2007527979.tif 000007
【図６】
2007527979.tif 000008
【図７】
2007527979.tif 000009
【図８】
2007527979.tif 000010
【手続補正書】
【提出日】平成18年1月10日(2006.1.10)
【手続補正１】
【補正対象書類名】特許請求の範囲
【補正対象項目名】全文
【補正方法】変更
【補正の内容】
【特許請求の範囲】
【請求項１】
相互に対して固定された少なくとも２つの離間されたパイプ末端部の間に連結を提供すべく使用されるパイプ・インサートであって、前記パイプ末端部の各々が当該パイプ末端部間の装置の連結を可能とする第１連結手段を有し、その使用中のインサートが前記パイプ末端部間の空間に跨って拡張されように意図されて、前記装置を置き換え且つ前記パイプ末端部と前記インサートの当接末端部との間に流体緊密相互連結を提供し、前記インサートが少なくとも２つの末端部を有し、前記パイプ・インサートが前記末端部間の相対的変位を変更することができように調整可能であり、各末端部が、使用中、前記第１連結手段と封止するように相互連結されることができる第２連結手段を有することから成るパイプ・インサート。
【請求項２】
前記パイプ・インサートが前記パイプ末端部間に意図された流体流れの少なくとも幾分かに適合できる、請求項１に記載のパイプ・インサート。
【請求項３】
前記パイプ・インサートが前記末端部間に流れ導管を構成する、請求項２に記載のパイプ・インサート。
【請求項４】
前記流れ導管が、前記パイプ・インサートの一体的な部分を含む、請求項３に記載のパイプ・インサート。
【請求項５】
前記流れ導管がフレキシブル或は拡張可能な特性である、請求項３に記載のパイプ・インサート。
【請求項６】
前記パイプ・インサートが流れ制御及び／或は検知要素の選択の内の少なくとも１つを受け入れることができる、請求項２乃至５の内の何れか一項に記載のパイプ・インサート。
【請求項７】
前記パイプ・インサートが流れ制御及び／或は検知要素を組み入れている、請求項２乃至５の内の何れか一項に記載のパイプ・インサート。
【請求項８】
前記パイプ・インサートが前記パイプ末端部間の流れに適合できない、請求項１に記載のパイプ・インサート。
【請求項９】
前記パイプ・インサートが該インサートの末端部間での相対的変位を変更すべく相互に対して変位可能である複数の相互係合された区分を含み、ロッキング手段がそれら区分間に設けられ、該ロッキング手段がそれら区分間での相対的移動を許容すべく解放されことができる、請求項１乃至８の内の何れか一項に記載のパイプ・インサート。
【請求項１０】
前記区分が前記フランジ間の流体流に適合して、封止するように相互連結されている、請求項２に従属された請求項９に記載のパイプ・インサート。
【請求項１１】
前記区分が入れ子式に相互係合されている、請求項９或は１０に記載のパイプ・インサート。
【請求項１２】
前記区分がねじ込み可能に相互係合され、それによって相対的変位が前記区分間のねじ込み可能な相互連結の相対的長手方向位置を変更することによって変更させられる、請求項９或は１０に記載のパイプ・インサート。
【請求項１３】
前記第２連結手段が前記末端部から除去可能であり、前記末端部に添付される前記第２連結手段が、異なるサイズのパイプ末端部の前記第１連結手段と合致できる複数の異なる形態の第２連結手段から選択可能である、請求項１乃至１２の内の何れか一項に記載のパイプ・インサート。
【請求項１４】
前記インサートの末端部が共通軸線に沿って変位可能である、請求項１乃至１３の内の何れか一項に記載のパイプ・インサート。
【請求項１５】
前記インサートの末端部が、相互に角度的に変位させられる少なくとも２つの軸線に沿って変位可能である、請求項１乃至１３の内の何れか一項に記載のパイプ・インサート。
【請求項１６】
前記インサートの末端部が、相互に略直交する２つの軸線に沿って変位可能である、請求項１５に記載のパイプ・インサート。
【請求項１７】
前記インサートの末端部が、相互に離間されている少なくとも２つの軸線に沿って変位可能である、請求項１乃至１３の内の何れか一項に記載のパイプ・インサート。
【請求項１８】
添付図面を参照して実質的にここで記載されたようなパイプ・インサート。
【請求項１９】
相互に対して固定されている少なくとも２つの離間されたパイプ末端部を連結する方法であって、該パイプ末端部各々がそれらパイプ末端部間に装置の連結を可能とする第１連結手段を有し、前記方法が、
前記少なくとも２つの離間されたパイプ末端部間に請求項１乃至１８の内の何れか一項に記載の形態のインサートを提供する段階と、
前記パイプ末端部間の空間に従って前記インサートの末端部間に相対的な変位を生ずるようにインサート長を調整する段階と、
前記インサートを前記パイプ末端部間の空間内に挿入する段階と、
第１及び第２の連結手段を当接することで前記インサートを前記パイプ末端部に連結して、それらの間に流体緊密相互連結を提供することから成る段階と、
の諸段階を含む方法。
【請求項２０】
実質的にここで記載されたような少なくとも２つの離間されたパイプ末端部を連結する方法。
【請求項２１】
前記第１連結手段各々は各パイプ末端部にフランジを含み、前記第２連結手段各々は各末端部にフランジを含み、それら第１及び第２の連結手段は相補的な形態である、請求項１乃至１７の内の何れか一項に記載のパイプ・インサート。
【請求項２２】
前記パイプ・インサートが使用中の装置にとって予想される流れ及び圧力条件に適合できる、請求項１乃至１７及び請求項２１の内の何れか一項に記載のパイプ・インサート。
【請求項２３】
前記パイプ・インサートが使用中の装置に適用されるように予想される予想機械的負荷に適合できるように構成されている、請求項１乃至１７、請求項２１及び２２の内の何れか一項に記載のパイプ・インサート。
【手続補正２】
【補正対象書類名】明細書
【補正対象項目名】全文
【補正方法】変更
【補正の内容】
【書類名】明細書
【発明の名称】パイプ・インサート
【技術分野】
【０００１】
本発明はパイプ・インサートに関し、そしてそうしたパイプ・インサートを用いて少なくとも２つのパイプ末端部を連結する方法にも関する。
【背景技術】
【０００２】
プロセス配管据え付けは、石油ガス、石油化学、並びに、鉱業を含む数多くの業界に共通している。
【０００３】
そうした据え付けに関する最も主要なプロジェクトと関連された要件は、事前試運転に先行して、配管が静水力学的及び／或は空気圧的に試験されて、設計及び動作パラメータとの適合を保証することである。そうした試験は亜音速送風を含み得るクリーニング位相が後に続く。その据え付けが試運転されるまで、据え付けの組立、組み立てられた据え付けのクリーニング、そして、試運転に先行する据え付けの試験の最中に経験される厳しさに、バルブ及び同様要素等の制御要素を暴露することは望ましくない。この明細書及び特許請求の範囲を通じて、用語「器具」は、流体線を通って流体流れを制御及び／或はモニタするために、流体線内に据え付けられるバルブ、ゲージ、流量制限器、並びに、そうした要素等の制御要素を言及するものと解釈されるべきである。
【発明の開示】
【発明が解決しようとする課題】
【０００４】
この理由のため、構成、試験、並びに、クリーニングの経過にわたって３回も据え付けされて除去されることは、そうした制御要素にとって珍しいことではない。一般的にこれは、各制御要素を置き換える専用一時的パイプ・インサートの構成を含む。数十或は数百の制御要素を組み入れている据え付けにおいて、こうした履行は扱いにくく且つ無駄が多い、その理由としては殆どの場合、新しいパイプ・インサートが各制御要素用に毎回作り出され、据え付けが試験され得る場合、各一時的インサートは、代替が意図されている制御要素と同一の規格で作製されなければならない。この点における関連短所は、パイプ・システムの機械的一体性との妥協である３重ハンドリング及び据え付けを含むと共に、一時的インサートに非破壊試験を受けさせて、試験及びクリーニングの最中、それらの使用に対する適応度を保証する必要性とを含む。この結果、不必要な出費、時間的遅延、安全性リスクとなる。加えて、制御要素が据え付けられから除去される度に、それら制御要素に対する損傷が増大される可能性がある。
【０００５】
この明細書を通じて、特に前後文脈が要求していなければ、用語「"ｃｏｍｐｒｉｓｅ"（備える或は含む）」、若しくは、「"ｃｏｍｐｒｉｓｅｓ"」或は「"ｃｏｍｐｒｉｓｉｎｇ"」等の変形は、規定された整数或は整数群の包含を暗示すると理解されるが、他の任意の整数或は整数群の排除を暗示しないと理解される。
【課題を解決するための手段】
【０００６】
本発明の一局面に従えば、相互に固定された少なくとも２つの離間されたパイプ末端部の間の連結を提供すべく使用されるパイプ・インサートが提供され、それらパイプ末端部各々は当該パイプ末端部間に装置の連結を可能とする第１連結手段を有して、使用中の前記インサートが前記装置を置換して各末端部との流体緊密相互連結を提供すべく意図されおり、該インサートが少なくとも２つの末端部を有し、前記パイプ・インサートがそれら末端部間の相対的変位を変更すべく調整可能であり、各末端部が前記第１連結手段との封止的に相互連結させることが出来る第２連結手段を有する。
【０００７】
本発明の好適な特徴に従えば、パイプ・インサートはパイプ末端部の間の意図された流体流れの少なくとも幾分かに適合することができる。本発明の好適な特徴に従えば、パイプ・インサートはそれら末端部間の流れ導管を構成する。本発明の一実施例に従えば、その流れ導管は、パイプ・インサートの一体的部分を含む。本発明の別の実施例に従えば、流れ導管は、可撓性或は伸縮性である。
【０００８】
本発明の好適な特徴に従えば、パイプ・インサートは流量制御の選択及び／或は検知要素の内の少なくとも一方を受け取ることができる。
【０００９】
本発明の好適な特徴に従えば、パイプ・インサートは流量制御及び／或は検知要素を組み入れている。
【００１０】
本発明の好適な特徴に従えば、パイプ・インサートはパイプ末端部の間の流量に適合できない。
【００１１】
本発明の好適な特徴に従えば、パイプ・インサートはインサートの末端部の間の相対的な変位を変更すべく、相互に対して変位可能である複数の相互係合区分を含み、封止及びロッキング手段がそれら区分間に設けられ、該ロッキング手段が該区分間の相対的な長手方向移動を許容すべく解放されることができる。
【００１２】
本発明インサートの好適な特徴に従えば、前記区分はフランジ間の流体流れに適合すると共に封止するように相互連結される。
【００１３】
本発明インサートの好適な特徴に従えば、前記区分は入れ子式に相互連結される。
【００１４】
本発明の好適な特徴に従えば、それら区分はねじ込み式に相互係合され、相対的変位が区分間のねじ込み可能な相互連結の相対的長手方向位置を変更することによって変更される。
【００１５】
本発明の好適な特徴に従えば、第２連結手段は末端部から除去可能であり、それら末端部に添付される該第２連結手段は、異なるサイズから成るパイプ末端部の第１連結手段と合致することができる第２連結手段の複数の異なる形態から選択可能である。
【００１６】
本発明の好適な特徴に従えば、第１連結手段各々は各パイプ末端部にフランジを含み、前記第２連結手段各々は各末端部にフランジを含み、それら第１及び第２の連結手段は相補的な形態である。
【００１７】
本発明の好適な特徴に従えば、インサートの末端部は共通軸線に沿って変位可能である。
【００１８】
本発明の好適な特徴に従えば、インサートの末端部は、相互に角度的に変位されている少なくとも２つの軸線に沿って変位可能である。
【００１９】
本発明の好適な特徴に従えば、相互に略直交する２つの軸線に沿って変位可能である。
【００２０】
本発明の好適な特徴に従えば、インサートの末端部は相互に離間されている少なくとも２つの軸線に沿って変位可能である。
【００２１】
本発明の好適な特徴に従えば、パイプ・インサートは使用中の装置にとって予想される流れ及び圧力条件に適合できる。
【００２２】
本発明の好適な特徴に従えば、パイプ・インサートは使用中の装置に適用されるように予想される予想機械的負荷に適合できるように構成されている。
【００２３】
本発明の一局面に従えば、相互に対して固定されている少なくとも２つの離間されたパイプ末端部を連結する方法が提供されており、前記パイプ末端部各々が該パイプ末端部間に装置の連結を可能とする第１連結手段を有し、その方法は、
前記少なくとも２つの離間されたパイプ末端部間に、先行する請求項の内の任意の１つで請求された形態の前記インサートを提供する段階と、
前記パイプ末端部間の間隔に従って前記インサートの末端部間に相対的変位を生じさせるべくインサート長を調整する段階と、
前記パイプ末端部間の空間内に前記インサートを挿入する段階と、
第１及び第２の連結手段を当接することで前記インサートを前記パイプ末端部に連結して、それらの間に流体緊密相互連結を提供することから成る段階と、
の諸段階を含む。
【００２４】
本発明は特定実施例の以下の記載を参照してより完全に理解されるであろう。
その記載は以下の添付図面を参照して為されている。
【発明を実施するための最良の形態】
【００２５】
各種実施例の各々は、少なくとも２つの離間されたパイプ末端部の間に連結を提供すべく使用され、且つ、それらパイプ末端部間の離間距離に適合する少なくとも１つの軸線に沿って調整可能であるパイプ・インサートに向けられている。こうした実施例の各々のパイプ・インサートの目的は、パイプ末端部が関連される据え付けが作業中、クリーニング中、試験中、メンテナンス或はその類の最中にある一方であって、そして、活動性に関連された状態に支配させられる流れ制御及び／或は検知要素にとって不適切である際、パイプ末端部の間に配置される流れ制御及び／或は検知要素を置き換えることである。意図されていることは、パイプ・インサートがパイプ末端部間において、或は、パイプ末端部間から流れ制御及び／或は検知要素を除去する必要がある度にパイプ末端部の異なる集合の間において、反復的に使用され得ることである。
【００２６】
第１実施例に従ったパイプ・インサート１０が、図１及び図２に描写されており、パイプ対の離間された末端１１の間の連結を提供している。このインサート１０は、管状形態であって、パイプ末端部１１における対応するパイプ・フランジ１３と固定されることができるフランジ形態１２の連結手段で各末端部に設けられて、パイプ間の封止連結を提供している。フランジ１２は、パイプのパイプ・フランジ１３と締結的且つ封止的に係合され得るような形態を取っている。フランジ１２間のパイプ・インサートの部分は管状であって、パイプ末端部間の流体流れを許容すると共に、追って記載されるように、パイプ末端部間に最終的には配置されることなる制御要素を複製できるか、或は、その制御要素と類似の機能を提供できる流れ制御及び／或は検知要素を含むことができる。
【００２７】
フランジ１２間のインサート１０の部分は、中央区分１６と該中央区分１６の何れか一方で外側区分１８の対とを含む複数の相互係合区分を備える。区分１６及び１８は末端合わせ関係でねじ込み式に相互連結され、それによって、それら区分間のねじ込み式相互連結の相対的長手方向位置を変更することによってインサート１０の長さが変更され得る。
【００２８】
中央区分１６はその末端部において向かい合うような雌ねじ２０が設けられる一方で、外側区分１８はそれら内側末端部においてそれら雌ねじ２０と相互連結される対応する雄ねじ２２が設けられて、中央区分１６及び外側区分１８の間のねじ込み式相互連結を為している。各外側区分１８の外側面の非ねじ切り部は内側末端部に対して僅かに低減された径であって、その非ねじ切り外側部を中央区分１６のボア内に受け入れられるように為す。
【００２９】
中央区分１６とそれ故のパイプ・インサートの長さに対する各外側区分１８の位置は、その外側区分を時計方向或は反時計方向にねじ込むことによって調整される。外側区分１８は、図１及び図２に示されるように、中央区分１６に対して異なる量だけ調整可能に変位させることができる。
【００３０】
中央区分の両末端部は、各々、環状ロッキング・キャップ２８が設けられている。これら環状ロッキング・キャップ２８は、中央区分１６及び外側区分１８の間の相互連結を封止する補助を為している。各ロッキング・キャップ２８は、中央区分の各末端部における外側面上に設けられた外側ねじ３２とねじ込み式に受け入れられる内側ねじを有する。インサート１０の長さの調整後、ロッキング・キャップ２８は、外側区分１８そしてそれ故の中央区分１６の末端部と固定された外側区分１８に沿って摺動させられて、中央区分１６の各末端面２７を係合している。ロッキング・キャップ２８及び中央区分１６の周囲を巡って設けられた切り欠き３６の集合は、中央区分１６及びロッキング・キャップ２８の間に適切な締め付けトルクを付与すべく適切なツールを使用させることができる。封止部２６が、各ロッキング・キャップ２８のフランジと、中央区分の各末端面と、各末端区分の外側面との間に取り込まれている。それら封止部は外側区分１８の周りに受け入れられて、ロッキング・キャップ２８及び内側末端面２７の間に画成された凹部２４内に収容される。封止部２６はそれら凹部２４内に適切に圧縮されるように寸法付けられて、中央区分１６とロッキング・キャップ上の外側区分１８との間に封止が為されて必要に応じて締め付けられる。
【００３１】
外側区分１８の内側面には向かい合うような雌ねじ４１が設けられて、以下に記載されるように他の実施例に従って、それらが更なる外側区分をその中に受け入れることができるように為している。加えて、外側区分１８には、それらの外側末端部において、雄ねじ３８が設けられて、それらがフランジ１２と係合されることを可能とし、次いでそれらフランジ１２にはねじ３８と相互連結するように対応するねじ３９を有するボア４０が設けられて、フランジ１２が外側区分１８上にねじ込まれ、そしてそれ故に取り付けられ得る。フランジ１２の除去特性が意味することは、インサート１０が、パイプ・インサートが使用させられるパイプ・フランジの特性に従って、変更する径、タイプ、並びに、評価のパイプ・フランジと一緒に使用させられる汎用性を有することである。
【００３２】
封止部４６は、外側区分１８の最も外側の末端面４２とフランジ１２との間に画成された凹部４４内に受け入れられる。これら封止部４６は、外側区分１８及びフランジ１２の間の封止を達成すべく凹部４４内に適切に圧縮されるように寸法付けられている。
【００３３】
中央区分１６の壁は、対向された径方向ボア５０及び５２の対と一緒に形成され、各ボアは制御及び／或は検知要素を含み得る選択要素の内の１つを封止的に受け取ることができる。これら要素は、持ち上げアイ、ボール弁レバー・アセンブリ、圧力ゲージ、並びに、注入／流出点を含み得る。一要素が嵌合される必要性がない場合、１つ或はそれ以上の径方向ボアの１つ或は各々は、図１に示されるようにねじ付きプラグ５１で封止され得る。
【００３４】
図２で示されると共に例証としてのみ示されるように、第１実施例に嵌合された選択された制御要素は、一方のボア５０内に受け入れられた持ち上げアイ５４と、他方のボア５２内に受け入れられたボール弁レバー・アセンブリ５６とを含み得る。ボール弁レバー・アセンブリはボール弁５８と関連されて、該ボール弁はインサート１０内に受け入れられ得る。ボール弁５８は、ボール弁レバー・アセンブリ５６と、央区分の何れかの末端部を介して受け入れられるボール部材６０とを含み、それら間にボール部材６０を受け入れるべく２つのボール部材保持カバー６２を含む。それら保持カバー６２には、中央区分１６の雌ねじ２０と係合可能である雄ねじ６４が設けられている。保持カバー６２の内側末端部は、中央区分１６の中間付近且つそれと一体的に形成された環状面６８と当接して受け入れられている。凹部７０が保持カバー６２のそれら内側末端部に設けられ、それら凹部７０は面６８と係合する封止部７２を受け入れている。保持カバー６２は、それらの内側及び外側の末端部間に、テーパー状の環状軽減部７８を有して、外側区分１８の内側末端部に設けられた対応してテーパー状となった部分８０を収容し、それによって、ボール弁５８が利用されている際に中央区分１６内において外側区分１８の最大後退を可能として、インサート１０の長さ調整の範囲を増大する。
【００３５】
本発明の更なる実施例の以下の記載において、同様構成要素は同一参照番号で指定されている。
【００３６】
第２実施例に従ったパイプ・インサート１０は、図３に示されるように、第１実施例の変形に基づき、そして、中央区分１６の各側部に外側区分１８を有するに加えて、各末端部においてねじ込み式の相互係合されて入れ子式相互連結された更なる外側区分１８'及び１８"を含む。これはパイプ・インサート１０が、パイプ末端部がそれらの分離度におけるより大きな変更を有する様々なそれらパイプ末端部の連結に使用させることを可能としており、その理由は、更なる外側区分１８'及び１８"が、第１実施例のパイプ・インサートと比較した場合、長さ調整のより大きな範囲を第２実施例のパイプ・インサート１０にもたらすからである。
【００３７】
中央区分１６及び外側区分１８は第１実施例の場合に使用されたものと同一の片々であり、付加的な片々は適切に構成されて、インサート１０が完全に後退された外側区分１８，１８'，１８"で、ボール弁５８を収容できる（図３での破線で示されるように）。
【００３８】
更なる外側区分１８には、それら内側末端において、外側区分１８に設けられた雌ねじ４１と係合する雄ねじ２２'が設けられている。更なる外側区分１８'各々の外側面の残り部分は内側末端部に対して低減された径であって、それら更なる外側区分１８'が外側区分１８内に受け入れられるようにしている。
【００３９】
更なる外側区分１８'には、向かい合う雌ねじ４１'が設けられ、それら雌ねじが更なる外側区分１８"の内側末端部に設けられた対応する雄ねじ２２"と係合する。更なる外側区分１８"各々の外側面における残り部分も内側末端部に対して低減された径となって、更なる外側区分１８"が更なる外側区分１８'内に受け入れられるようにしている。
【００４０】
フランジ１２は更なる外側区分１８"の外側末端部に取り付けられ、それら外側末端部が第１実施例と関連されて記載されたように構成されて、フランジ１２との封止連結をもたらしている。
【００４１】
環状ロッキング・キャップ２８，２８'，２８"はそれらの間の関連封止構成と共に、各区分の間に連結部に設けられて、ロッキング・キャップ及び封止構成は第１実施例と関連されて記載されたタイプのものである。
【００４２】
例証としてのみ、第２実施例に対する選択された制御要素は、ボア５０に受け入れられた圧力ゲート８０と、ボア５２内に受け入れられた注入／流出点８２とを含む。再び、制御要素が嵌合される必要性がなければ、径方向ボアの１つ或は各々が、図１に示されるように、第１実施例と関連されて、ねじ切りプラグで封止され得る。
【００４３】
図４に示される第３実施例に従ったパイプ・インサート１０も、中央区分１６が９０°の肘片を含むことを除いて、第１実施例の変形である。よってこのインサートは、２つの非平行軸線に沿って調整可能であり且つ直交するように配列された２つの離間パイプ末端部１１の間の連結を提供できる。
【００４４】
第３実施例の場合の径方向ボア５０及び５２は反対方向というよりか、９０°で配列されている
【００４５】
例証としてのみ、第３実施例の選択制御要素は、ボア５０内に受け入れられた圧力ゲージ８０と、ボア５２内に受け入れられた持ち上げアイ５４とを含む。再び、制御要素が嵌合される必要性がなければ、径方向のボアの１つ或は各々は既に記載されたねじ切りプラグで封止され得る。
【００４６】
図５及び図６に示される本発明の第４実施例は、管状区分１０１及び１０２の対を含み、それらは入れ子式に連結されている。各区分の自由末端は、先行する実施例の場合のように適切なねじ込み式の相互連結を介してフランジ１１２を支持する。より大きな径の区分１０１の内側末端１０３は、環状封止カバー１０４と関連され、該カバーは内側末端部１０３とねじ込み式に係合されて、区分１０１の末端面と、封止カバーと、封止カバーの内側径方向面と他の区分１０２の外側面との間の第２封止部１０６との間に第１封止部１０５を保持する。他の区分１０２の内側末端部は外側方向に向けられたフランジ１０７で形成され、該フランジは封止カバーの内側径より大きな外側径を有して、区分間の保持を可能として、第３封止部１０８はフランジの外側径方向面によって支持されて、より大きな区分１０２の内側ボアとの係合を封止する。連結区分１０１及び１０２の入れ子式特性のために、パイプ・インサートの長さは必要に応じて変更され得る。環状封止カバー１０４は、締結されると、緊密に係合される際の区分間での相対的長手方向移動を阻止できるロッキング手段としての役割も果たす。
【００４７】
更なる実施例が存在し、そこでは、各側部に設けられた多数の外側区分が第１及び第２実施例と関連したものと異なっている。更には理解して頂けるように、中央区分の一側に設けられた多数の外側区分が他方の側部に設けられた多数のものとは異なり得る。
【００４８】
他の実施例が存在し、そこでは、中央区分の一方側部に対する外側区分（単数或は複数）と中央区分の他方側部に対する外側区分（単数或は複数）の間に横方向のオフセットがあって、パイプ末端部が同軸状整列から外れている状況に適合している。
【００４９】
加えて、例えば、２ピース或は４方向ピースとして形成される、幾つかの或は全ての長手方向軸線において調整可能であるインサート等のパイプ末端部の２つ以上を連結することができ、パイプ末端部の間隔に従ってコネクタの位置を変更させる。
【００５０】
図７で概略的に示されるような更なる実施例は、パイプ・インサートがパイプ末端部間の然るべき位置にある期間中、それらパイプ末端部間の流体連通をパイプ・インサートが提供する必要がない状況を含む。その結果として、フランジ２１２間の部分２１０は拡張可能である構造的完全性であり、関連活動中にそれ自体に付勢される力に耐えるべく充分な構造的完全性を有する部材を含む。
【００５１】
図８に概略的に示されたような更なる実施例は、パイプ・インサートがパイプ末端部間の然るべき位置にある期間中、それらパイプ末端部間の充分な流体連通をフランジ間のパイプ・インサートの部分３１０が提供しない状況を含む。その結果として、フランジ３１２間の部分３１０は拡張可能であり、関連活動中にそれ自体に付勢される力に耐えるべく充分な構造的完全性を有する部材を含む。必要とされた流体流れに適合すべく、フレキシブルな流れライン３０８はフランジ３１２間に延在して、パイプ末端部間に必要とされた流量をもたらし、適切な流れ制御及び／検知要素がこのフレキシブルな流れラインと関連されている。
【００５２】
インサート１０の組立、調整、並びに、据え付けの方法は、第１、第２、並びに、第３の実施例と関連して以下に記載される。理解して頂けるように、組み立てられるべく様々な構成要素と関連された封止部は組立中に既に然るべき位置に配置されている。
【００５３】
インサート１０の組立、調整、並びに、据え付けに先行して、フランジ１３が、もし既に存在しなければ、溶接されるか、或は、固定されて、パイプ末端部１１上に配置される。次いで、フランジ１３間の分離の正確な測定が為される。
【００５４】
次いで、インサート１０を組み立てることとなる適切な数の区分の決定が為され、そうした決定はパイプ末端部１１のサイズ及び間隔に基づく。次いでインサート１０の組立が開始される。
【００５５】
インサート１０の組立における第１段階は、一般に、ボア５０，５２に対する適切な要素の嵌合及び／或は閉塞である。もしボール弁５８が必要とされたならば、ボール部材６０が中央区分１６に挿入され、次いで保持カバー６２がその中央区分１６の何れか側の内部にねじ込まれて、ボール部材６０をその間に保持させる。次いでボール弁レバー・アセンブリ５６が適切なボア５０或は５２内にねじ込まれる。持ち上げアイ５４は、しばしば、一方のボアに嵌合されて、インサート１０の引き続く据え付けを促進する。次いで外側区分１６は中央区分１６内にねじ込ませてから、ロッキング・キャップ２８がそれら外側区分１８上を摺動させられる。もし更なる外側区分１８'が必要とされれば、それらは外側区分１８の外側末端部内にねじ込ませる。次いで、ロッキング・キャップ２８'が更なる外側区分１８'上に摺動させられる。もし付加的な更なる外側区分１８"が必要とされれば、それは更なる外側区分１８'の外側末端部内にねじ込ませる。次いで、ロッキング・キャップ２８"がその付加的な更なる外側区分１８"上に摺動させられる。次いで、フランジ１２であり、それらがフランジが連結されることになるフランジ１３の寸法に従って選択されたフランジ１２が、最も外側の区分１８、１８'、或は、１８"の外側末端部上にねじ込ませる。
【００５６】
相互連結された区分が、フランジ１３の間隔に従って全長が調整されて、ガスケット等を可能とするまで、相互に対してねじ込ませる。インサート１０の長さの正しい調整後、ロッキング・キャップは相互連結された区分をロックすべく然るべき位置にねじ込ませ、それらの間に封止部を完成する。適切な締め付けトルクが、先に記載されたように、切り欠き３６と係合された引っ掛けスパナによって提供される。
【００５７】
次いでインサート１０が据え付けられる。これを達成すべく、もし嵌合されていれば、持ち上げアイ５４が利用されてインサート１０を然るべき位置に持ち上げる。次いで、フランジ１２が据え付けを完成すべく従来方式でフランジ１３と連結される。
【００５８】
インサート１０は、最終的にはその位置で据え付けられることになる制御要素の長手方向寸法に従って、少なくとも１つの長手方向軸線方向に調整される。次いでインサート１０は、配管システムの全ての制御要素箇所において、構成位相中、嵌合され得る。適切な離間と配管整列を可能とする。次いで、試験及びクリーニングがインサート１０を除去する必要性無しに実行され得る。
【００５９】
更には、インサート１０の機械的完全性は据え付けに先行して承認され、それによってこの分野でのインサート１０の試験の必要性を低減している。
【００６０】
理解して頂きたいことは、本発明の範囲が先に記載された実施例の特定範囲に限定される必要性がないことである。
【図面の簡単な説明】
【００６１】
【図１】図１は、本発明の第１実施例に従ったパイプ・インサートの側面図である。
【図２】図２は、持ち上げアイ及びボール弁が嵌合された、図１に示される本発明の第１実施例に従ったパイプ・インサートの立断面図である。
【図３】図３は、圧力ゲージ及び注入／排出点が嵌合された、本発明の第２実施例に従ったパイプ・インサートの立断面図である。
【図４】図４は、圧力ゲージ及び持ち上げアイが嵌合された、本発明の第３実施例に従ったパイプ・インサートの立断面図である。
【図５】図５は、後退状態にある第４実施例に従ったインサートの立断面図である。
【図６】図６は、拡張状態にある第４実施例に従ったインサートの立断面図である。
【図７】図７は、本発明の更なる実施例に従ったインサートの概略立断面図である。
【図８】図８は、本発明の更なる実施例に従ったインサートの概略立断面図である。
【００６２】
【符号の説明】
１０    パイプ・インサート
１１    パイプ末端部
１２    連結手段
１６    中央区分
１８    外側区分
１２，１３    パイプ・フランジ
２０，４１，４１'    雌ねじ
２２，３８，６４，２２'，２２"    雄ねじ
２８    ロッキング・キャップ
３６    切り欠き
【国際調査報告】
2007527979.tif 000011
2007527979.tif 000012
2007527979.tif 000013